(57)【要約】【課題】複数のトイレブース空間を設けたトイレであって、限られたスペースに数多くのトイレブースを設置すると共に、狭い通路空間を身体障害者が車椅子に乗ってすれ違うことが出来るようにしたトイレの提供。【解決手段】壁面５に対して垂直を成して長さを異にする仕切りパネル１，２を交互に据え付けし、長さの短い仕切りパネル１の先端には左右斜め方向に正面パネル３，３を取付け、正面パネル先端と長い仕切りパネル２の先端間を入口１１として内部のブース空間に便器６その他を設置している。そして正面パネル３にはドアパネル４を取付けている。【選択図】        図１
2004150068.tif 000002
【特許請求の範囲】
【請求項１】
複数のトイレブース空間を設けたトイレにおいて、壁面に対して垂直を成して長さを異にする仕切りパネルを交互に据付けし、長さの短い仕切りパネルの先端には左右斜め方向に正面パネルを取付けて、正面パネル先端と長い仕切りパネル先端間を入口として内部のブース空間に便器その他を設置し、そして正面パネルにはドアパネルを取付けたことを特徴とするトイレ。
【請求項２】
正面パネルの上端に笠木を沿設すると共に、正面パネル先端から仕切りパネル先端に笠木を掛架し、この笠木に設けた上レールにドアパネルを吊設して開閉可能とした請求項１記載のトイレ。
【請求項３】
短い仕切りパネル先端に補助パネルを垂直を成して連結し、該補助パネルの両端に正面パネルを斜めに傾斜して取付けた請求項１、又は請求項２記載のトイレ。
【発明の詳細な説明】
【０００１】
【発明の属する技術分野】
本発明は健常者と車椅子を使用する身体障害者が共用することが出来るトイレブースに関するものである。
【０００２】
【従来の技術】
図３は従来から使用されている健常者用のトイレブースであり、壁面（イ）に対して仕切りパネル（ロ）、（ロ）・・は垂直に据付けられ、仕切りパネル（ロ）、（ロ）・・の先端には正面パネル（ハ）、（ハ）・・が垂直を成して連結している。そして、隣り合う正面パネル（ハ）、（ハ）・・の間にはドアパネル（ニ）、（ニ）・・が開閉自在に取付けられ、ブース空間（ヘ）には便器（ホ）が設置されている。
【０００３】
同図に示しているように、複数のトイレブースが配列されているが、限られた空間に所定の個数のトイレブースを設置する場合、通路空間（ト）の確保も必要となる。ここで、一般の健常者が使用するトイレブースであれば、該通路空間（ト）が多少狭くても内開きのドアパネル（ニ）を取付けることで大きな問題はないが、車椅子に乗る身体障害者が使用するトイレブースとしては色々問題がある。
【０００４】
従来では、車椅子を使う身体障害者用のトイレブースは一般健常者用トイレブースとは別に設置されているが、設置場所や設置コストの問題があり、共用することが望まれている。しかし、車椅子使用の身体障害者用トイレブースは車椅子ごと入ることが必要である為にブース空間が大きく、しかも車椅子同士のすれ違いが出来るように通路空間を広くしなくてはならない。
【０００５】
前記図３に示す形態で大きな寸法の長方形のブース空間を設け、しかもすれ違いが出来るように通路空間の幅Ｈを大きくしたのでは、所定のスペースに僅かのトイレブースしか設置できない。
【０００６】
【発明が解決しようとする課題】
このように、一般健常者と身体障害者が共用することが出来るトイレブースを設置するには、上記のごとき問題がある。本発明が解決しようとする課題はこの問題点であり、限られたスペースに数多くのトイレブースを設置できると共に、狭い通路空間であっても車椅子同士がすれ違うことが可能なトイレを提供する。
【０００７】
【課題を解決する為の手段】
本発明に係るトイレは複数のトイレブースを壁面に沿って設置したものであり、該壁面に対して仕切りパネルを垂直に据付し、そして仕切りパネルの先端左右には正面パネルを斜め方向に配置し、ドアパネルは正面パネルに取付けている。
正面パネルが連結する仕切りパネルの長さは短く成っていて、長い仕切りパネルと交互に配置され、ドアパネルを閉じるならば、長い仕切りパネルの先端との間の入口が閉鎖される。
【０００８】
従って、短い仕切りパネルの先端からは左右に正面パネルが斜め方向へ延びて、両正面パネルは概略Ｖ形を成し間に空間が形成される。従って、車椅子に乗った身体障害者同士がすえ違う際には、該Ｖ空間に車椅子を入れることですれ違いが可能となる。従って、通路空間の幅を広くする必要がなくなる。又ここで、正面パネルを仕切りパネル先端ではなく、仕切りパネルに対して垂直に配置した補助パネル先端に傾斜して据付けることも可能である。以下、本発明に係る実施例を図面に基づいて詳細に説明する。
【０００９】
【実施例】
図１は本発明に係るトイレブースを示している実施例であり、同図の１，２は仕切りパネル、３は正面パネル、４はドアパネルを表している。仕切りパネル１，２は壁面５に対して垂直に据付けられ、仕切りパネル１の先端には正面パネル３，３が左右方向へ傾斜して配置されている。すなわち、両正面パネル３，３は概略Ｖ形を成して据付けられ、間には空間が形成される。
【００１０】
ドアパネル４は正面パネル３に取付けられ、該正面パネル３に沿ってドアパネル４はスライドして突出し、その先端は仕切りパネル２の先端に係止して閉じられる。仕切りパネル２は上記仕切りパネル１より長く成っていて、傾斜した正面パネル３の先端からドアパネル４を延ばして、該ドアパネル４の先端が係止することが出来るように成っている。
【００１１】
従って、ブース空間５は従来のトイレブース空間のような長方形ではなく、台形空間を形成し、内部には便器６、支え７、持ち手８が備わっている。車椅子に乗って入る身体障害者が、使い易いように仕切りパネル１には持ち手８が取着され、便器６の近くには支え７を設置している。勿論、仕切りパネル１にはトイレットペーパ９を取付けている。
【００１２】
ところで、車椅子１０に乗った身体障害者がトイレを使用する場合、開口した入口１１からブース空間５に入ることが出来、ドアパネル４を正面パネル３から引き出して入口１１を閉じることが出来る。そして、通路で２台の車椅子が出会う場合、概略Ｖ形空間に片方の車椅子１０を入れるならば、すれ違うことが可能となる。すなわち、広い通路空間を設けなくても、正面パネル３，３にて形成されるＶ形空間を利用できる。
【００１３】
ここで、正面パネル３，３を仕切りパネル１の先端に直接連結する場合に限らず、図２に示しているように、仕切りパネル１の先端に幅の狭い補助パネル１３を取付け、該補助パネル１３の両先端から正面パネル３，３を傾斜して据付けることもある。正面パネル３，３が傾斜していることで、通路を移動する車椅子１０は概略Ｖ形空間１４に入り易い。
【００１４】
勿論、車椅子１０と一般の健常者１２とのすれ違いは何ら問題なく行うことが出来る。ところで、ドアパネル４の開閉構造は特に限定しないことにするが、正面パネル３の上縁に沿って笠木を沿設すると共に、該笠木を仕切りパネル２の先端に掛架し、ドアパネル４を笠木に設けた上レールに吊設することが出来る。そして該ドアパネル４は笠木に沿って移動して入口１１を開閉出来る。
【００１５】
一方、同図に示すトイレブースのドアパネルは入口を開口状態としているが、閉じた状態とすることも可能である。その場合には、正面パネルの先端にドアパネルを取付け、自重によって独りでに閉じることが出来るグレビィティヒンジを設けることが出来る。勿論、同図に示すドアパネルは引戸式開閉形態であって、車椅子がドアパネルの開閉に邪魔になることはない。
【００１６】
以上述べたように、本発明のトイレは仕切りパネルを壁面に対して垂直に取付け、短い仕切りパネルの先端には正面パネルを左右斜め方向に傾斜して据付け、そして正面パネルにはドアパネルを取付けたものであり、次のような効果を得ることが出来る。
【００１７】
【発明の効果】
本発明のトイレは主として身体障害者が車椅子に乗って出入りすることが出来るように構成している。そして、仕切りパネル先端に左右斜めに傾斜して正面パネルを取付け、この正面パネルにドアパネルを取付けている為に上記両正面パネル間には概略Ｖ形空間が形成される。この空間は車椅子が入ることが可能な大きさと成っていることで、通路の幅を１台の車椅子が通過出来る大きさとすることが出来る。
【００１８】
すなわち、上記スペースに車椅子が入ることで車椅子同士のすれ違いを行なうことが可能となる為に、ブース空間を大きくして車椅子に乗った身体障害者が使用出来るようにしても、全体のトイレスペースを大きくしなくても対応することが出来る。そして、正面パネルが傾斜していることで、通路を移動する車椅子はすれ違う際に空間へ入り易くなる。
【図面の簡単な説明】
【図１】本発明に係るトイレ。
【図２】仕切りパネルに補助パネルを介して正面パネルを連結している場合。
【図３】従来のトイレ。
【符号の説明】
１  仕切りパネル
２  仕切りパネル
３  正面パネル
４  ドアパネル
５  壁面
６  便器
７  支え
８  持ち手
９  トイレットペーパ
１０  車椅子
１１  入口
１２  健常者
１３  補助パネル
１４  Ｖ形空間
【図１】
2004150068.tif 000003
【図２】
2004150068.tif 000004
【図３】
2004150068.tif 000005